(57)【要約】【課題】従来、亜塩素酸塩などの液剤はボトル容器に入れられて、目的に応じた適量を有機酸などの散剤もしくは溶液と混合し、化学反応により二酸化塩素ガスを発生せしめていたが、目的に応じて二酸化塩素ガスを迅速に放散する場合や、緩やかに徐放させる場合にも、薬剤等のモル比を逐次計量し混合することが面倒であった。【解決手段】放散させる時間の所定の量として計量された有機酸などの散剤を収納した散剤収納部と、前記散剤を分散し化学反応させるべく計量された量の亜塩素酸塩などの液剤を収納した液剤収納部とを有し、両収納部を隣り合わせて配置すると共に、前記液剤収納部を押圧して前記散剤収納部との境界域を破壊することにより、この押潰しによって排出された亜塩素酸塩などの液剤が前記散剤収納部に移動して前記有機酸などの散剤と混合し反応され、随時適宜な二酸化塩素ガスを発生させることができる。【選択図】図４
2011098877.tif 000002
【特許請求の範囲】
【請求項１】
所定の混合量として計量された有機酸などを収納した散剤収納部と、前記有機酸などの散剤を分散し化学反応させるべく計量された亜塩素酸塩などの溶液などを収納した液剤収納部とを有し、両収納部を隣り合わせて配置すると共に、前記液剤収納部を押圧して前記散剤収納部との境界域を破壊することにより、この押潰しによって排出された亜塩素酸塩などの液剤が前記散剤収納部に移動して前記有機酸などの散剤と混合される構成としたことを特徴とする有機酸などの散剤及び亜塩素酸塩などの液剤混合による化学反応により二酸化塩素ガスを発生させる装置袋。
【請求項２】
前記液剤混合袋は、袋外周をホットメルトでシールできる矩形のラミネート小袋で構成され、前記散剤収納部と前記液剤収納部とは前記押潰し操作によってシール破壊可能のセンターシールを介して分離し、前記液剤収納部の押潰し操作により前記センターシールを破壊すると共に、前記液剤収納部及び前記散剤収納部を交互に軽く攪拌操作することにより均一混合して化学反応せしめる構成としたことを特徴とする請求項１記載の有機酸などの散剤及び亜塩素酸塩などの液剤を充填した二酸化塩素ガスを発生させる装置袋。
【請求項３】
前記袋はガス徐放性を有することを特徴とする請求項１記載の散剤及び液剤を充填した二酸化塩素ガスを発生させる装置袋。
【請求項４】
前記液剤収納内部および前記散剤収納内部に、同袋より小さいサイズの浸透性を有する別途収納袋に前記液剤および前記散剤を収納し、前記液剤および前記散剤を収納した袋内部に内包させて二重袋構造の形状を有し、内包された袋内部の液剤と散剤が浸透作用により緩やかな反応を持って長期発生をせしめる構造とした形状を特徴とする二酸化塩素ガスを発生させる装置袋。
【発明の詳細な説明】
【発明の詳細な発明】
【技術分野】
【０００１】  本発明は、有機酸などの散剤と亜塩素酸塩などの溶液とを適切にパッキングすることにより、必要なときに液剤及び散剤を混合して簡便に二酸化塩素ガスを発生させることができるようにした散剤及び液剤を充填した混合装置袋に関する。
【背景技術】
【０００２】  一例として、二酸化塩素ガスは次のように発生させていた。すなわち、下記式のように、（Ｉ）次亜塩素酸塩と塩酸を反応させて塩素ガスを発生させ［化１］、（ＩＩ）発生した塩素ガスと亜塩素酸塩を反応させて二酸化塩素ガスを発生していた［化２］。
【先行技術文献】
【特許文献】
【０００３】
【特許文献１】特開２００２−２２０２０７公報
【０００４】
【化１】
2011098877.tif 000003
【０００５】
【化２】
2011098877.tif 000004
【０００６】  従来、亜塩素酸塩などの液剤はボトル容器に入れられて、目的に応じた適量を有機酸などの散剤もしくは溶液と混合し、化学反応により二酸化塩素ガスを発生せしめていた。目的に応じて二酸化塩素ガスを迅速に放散する場合も、緩やかに徐放させる場合もあるが、薬剤等のモル比を逐次計量し混合することが面倒であった。【０００７】  また、予め亜塩素酸塩などの液剤または散剤と有機酸などの液剤または散剤とを混合させておくと、化学反応が進み保存が困難であった。
【発明の概要】
【発明が解決しようとする課題】
【０００８】  本発明は、都度計量が必要なボトルで供与されている亜塩素酸塩などの液剤と、都度計量が必要な有機酸などの散剤を予め隣り合わせた連結した袋に収納し、簡便に混合して容易に二酸化塩素ガスを発生せしめる装置を袋の形状で提供することを目的とする。【０００９】  また、１回当りの使用を基準することができる有機酸などの散剤及び亜塩素酸塩などの液剤を混合が容易な袋に収納した形状で提供することを目的とする。【００１０】  さらに、前記収納袋より小さいサイズの浸透性を有する別途収納袋に前記液剤および前記散剤を収納し、前記液剤および前記散剤を収納した袋内部に内包させて二重袋構造の形状を有し、内包された袋内部の液剤と散剤が緩やかな反応を持って二酸化塩素ガスの長期発生をせしめる構造とした形状で提供することを目的とする。
【課題を解決するための手段】
【００１１】  上記課題を解決するため本発明者は、次の通りの有機酸などの散剤及び亜塩素酸塩などの液剤を予め収納した形態の混合袋を発明するに至った。【００１２】  本発明の有機酸などの散剤及び亜塩素酸塩などの液剤混合袋は、計量された所定量の有機酸などを含む散剤を収納した散剤収納部と、前記散剤を混合し化学反応させるべく計量された所定量の亜塩素酸塩などの液剤を収納した液剤収納部とを有し、両収納部を隣り合わせて配置すると共に、前記液剤収納部を押圧して前記散剤収納部との境界域を破壊することにより、この押潰しによって排出された亜塩素酸塩などの液剤が前記有機酸などの散剤収納部に移動して前記散剤と混合され化学反応される構成としたことを特徴とする。【００１３】  前記有機酸などの散剤及び亜塩素酸塩などの液剤混合袋は、袋外周をホットメルトでシールされた矩形のラミネート小袋で構成し、前記散剤収納部と前記液剤収納部とは前記押潰し操作によってシール破壊可能のセンターシールを介して分離し、前記液剤収納部の押潰し操作により前記センターシールを破壊すると共に、前記液剤収納部及び前記散剤収納部を交互に軽く押圧操作することにより、又は震盪処理することにより均一混合して化学反応せしめる構成とすることができる。袋には透明材を用い反応状態を観察できるようにすることもできる。【００１４】  また、前記亜塩素酸塩などの液剤収納部は、前記有機酸などの散剤収納部に内包される形とすることができる。【００１５】  さらに、前記液剤を収納した内部に、浸透性を有する密閉された矩形の袋に前記亜塩素酸塩などを収納した袋を更に内包される二重袋の形とすることができる。【００１６】  袋の形態としては、矩形の袋の他、スティック状や筒状のものとすることができる。列状配置も縦方向、横方向等様々な形に形成できる。【００１７】  袋の形態としては、矩形の袋の他、スティック状や筒状のものとすることができる。列状配置も縦方向、横方向等様々な形に形成できる。【００１８】  本発明の有機酸などの散剤及び亜塩素酸塩などの液剤混合袋は、散剤収納部と液剤収納部を有し、前記液剤収納部を指で押圧して前記散剤収納部との境界域を破壊することにより、亜塩素酸塩などの液剤及び有機酸などの散剤を混合し化学反応液を作ることができる。混合後、ガス徐放性袋から二酸化塩素ガスを放散することができる。【００１９】  有機酸などの散剤及び亜塩素酸塩などの液剤混合袋は、散剤と液剤を分けて収納しているので、液剤収納部を押圧し押潰さない限り長期（例えば１年）その効能が失われることがなく、販売店や家庭に貯蔵しておくことができる。【００２０】  二重に内包された有機酸などの散剤及び亜塩素酸塩などの液剤混合袋は液剤収納部の押圧しで押潰れず、浸透性袋により徐々に反応され長期間二酸化塩素ガスが発生させることができる。【００２１】  使用に際して、都度の混合計量作業や容器への移し変え作業が不要となる。【００２２】  二重に内包された浸透性のある袋に収納された液剤と散剤により、二酸化塩素ガスの長期徐放のための原料の追加供給をしなくても良い。【００２３】  二重に内包された浸透性のある袋に収納された液剤と散剤により、二酸化塩素ガスの長期徐放のための原���の追加供給をしなくても良い。【００２４】  また、使用者側から見て、手を汚さず混合でき、量を正しく混合することができ、ボトルからこぼしてしまうなどの無駄もなくなる。
【発明の効果】
【００２５】  以上の通り、本発明は特許請求の範囲に記載の通りのメーカ側で適切配合した有機酸などの散剤及び亜塩素酸塩などの液剤混合袋の形態であるので、液剤収納部を押圧して液剤収納部の亜塩素酸塩などの液剤を有機酸などの散剤収納部に送り混合でき、化学反応液を作って適切に二酸化塩素ガスを発生させることができる。【００２６】  使用者の側から見れば、いつでも手を汚さず、正確な量の混合ができ便利である。【００２７】  請求項１および２に記載の発明によれば、センターシールの破壊により亜塩素酸塩などの液剤及び有機酸などの散剤を混合できるので、化学反応液を容易に作ることができる。この形は矩形を長くするスティック形状についても同様である。袋を透明材で作り、又は袋の一部に透明窓を設けておけば、反応状態を観察でき、十分に混合させて適切に二酸化塩素ガスを発生させることが出来る。【００２８】  請求項３に記載の発明によれば、亜塩素酸塩などの液剤と有機酸などの散剤の混合によって起こる化学反応から発生する二酸化塩素ガスを袋の外に緩やかに放散することが出来る。【００２９】  請求項４に記載の発明によれば、充填された亜塩素酸塩などの量と充填された有機酸などの量に伴う緩やかな反応により、長期間二酸化塩素ガスを発生せしめ放散することができる。
【図面の簡単な説明】
【００３０】
【図１】本発明の一実施形態に係る有機酸などの散剤及び亜塩素酸塩などの液剤混合袋の平面図。
【図２】図１の縦断面図。
【図３】本発明の実施形態に係るセンターシールが押圧破壊されて有機酸などの散剤及び亜塩素酸塩などの液剤が混合している状態を示す図１の縦断面図。
【図４】図１に二重に内包された実施形態の平面図。
【発明を実施するための形態】
【００３１】  以下、添付図面を参照して本発明を実施するための最適の形態を説明する。図１及び図２は本発明の一実施形態に係る有機酸などの散剤及び亜塩素酸塩などの液剤混合袋の平面図及び断面図である。
【００３２】  図１及び図２に示すように、本発明の一実施形態に係る有機酸などの散剤及び亜塩素酸塩などの液剤混合袋１は、通常の袋同様に外形が略矩形（例えば７０ｍｍ×１００ｍｍ）で偏平（例えば厚み１０〜１５ｍｍ）に形成されている。図２は厚みを少し大袈裟に示している。
【００３３】  表裏のラミネート２Ｓ、２Ｒには、熱融着機能のあるフィルム３が添設されており、矩形の外周がコーナ部４として熱融着される形となっている。コーナ部４（４ａ、４ｂ、４ｃ、４ｄ）で囲まれた内側は、亜塩素酸塩などの液剤収納部５と有機酸などの散剤収納部６が、その略中間位置で熱融着による仕切り面７を介して形成されている。仕切り面７はセンターシールを構成するが、これは液剤収納部５の押圧操作によって破壊可能とすべく、中間位置を細かくし、或いは適宜に切り目を入れて構成してある。
【００３４】  前記散剤収納部６には、１回分の混合量として正確に、例えば１０ｇ或いは１５ｇ等と計量された有機酸などの散剤８が収納されている。また、液剤収納部５には、この有機酸などの散剤に見合って適切に選択された１００〜１５０ｃｃ程度の所要の量の亜塩素酸塩などの液剤９が収納されている。液剤収納部５は、容積中の８０％を液剤で占める等、亜塩素酸塩などの液剤を充満するが、散剤収納部６には有機酸などの散剤８を収納した状態で偏平化した状態とする。これは、液剤収納部５から亜塩素酸塩などの液剤９が侵入したとき、矢印で示す方向に自由に膨張してコーナ部４が破壊することがないようにするための処置である。
【００３５】  以上の構成の有機酸などの散剤及び亜塩素酸塩などの液剤混合袋１の製造方法について示すと、まず第１に１つのコーナ部４ｃのみを残した状態で熱融着して有機酸などの散剤８を投入し、次いで仕切り面７を作ってから亜塩素酸塩などの液剤９を入れてコーナ部４ｃを閉じ、次いで封入する。
【００３６】  有機酸などの散剤及び亜塩素酸塩などの液剤混合袋１の利用形態は、図２に示す液剤収納部５の位置ＬＳ（ｌｅｆｔ  ｓｉｄｅ）を指の力Ｆで押し潰し、仕切り面７を開通して亜塩素酸塩などの液剤９を有機酸などの散剤収納部６に送り、次いで震盪操作を加え、或いは他方の位置ＲＳ（ｒｉｇｈｔ  ｓｉｄｅ）を押して亜塩素酸塩などの液剤９を逆流させ、このように何回かの揉み込み作業をして均一に混合できる。位置ＬＳを押すと、その分逆の位置ＲＳが膨らむ。図には膨張することを小さな矢印で示している。混合後は図３に示すように両収納部５、６に縣濁液が完成しているので、化学反応により二酸化塩素ガスを確実に発生させることができる。
【００３７】  本発明は、上記実施形態に限定されるものではなく、本発明の要旨を逸脱しない範囲で適宜設計的変更して実施することができ、各種態様で実施できる。
【符号の説明】
【００３８】１    有機酸などの散剤及び亜塩素酸塩などの液剤混合袋
２    ＬＳ、ＲＳ  ラミネート
３    フィルム
４    （４ａ、４ｂ、４ｃ、４ｄ）  コーナ部
５    （５ａ、５ｂ）亜塩素酸塩などの液剤収納部
６    （６ａ、６ｂ）有機酸などの散剤収納部
７    仕切り面
８    有機酸などの散剤
９    亜塩素酸塩などの液剤
１０  浸透性のあるラミネート
【図１】
2011098877.tif 000005
【図２】
2011098877.tif 000006
【図３】
2011098877.tif 000007
【図４】
2011098877.tif 000008